【手続補正書】
【提出日】平成16年8月31日(2004.8.31)
【手続補正１】
【補正対象書類名】明細書
【補正対象項目名】特許請求の範囲
【補正方法】変更
【補正の内容】
【特許請求の範囲】
【請求項１】
周波数を切り替えながら通信する複数の無線通信装置を有する無線通信システムにおいて、
通信に使用する周波数切替パターンを決定する決定手段と；
上記決定手段により決定したパターンに基づいて通信する通信手段と；
第１の周波数切替パターンにより第１の無線通信装置と第２の無線通信装置との間で通信している最中に、第３の無線通信装置からの上記第１の無線通信装置との通信要求を検出する検出手段と；
上記検出手段による検出に応じて、上記第１の無線通信装置と上記第２の無線通信装置との通信を中断し、上記第１の無線通信装置と上記第３の無線通信装置との通信を開始するように制御する制御手段と；
を有し、上記第１の無線通信装置と上記第３の無線通信装置との通信は、上記第１の無線通信装置と上記第２の無線通信装置との通信に使用していた上記第１の周波数切替パターンを使って行うことを特徴とする無線通信システム。
【請求項２】
周波数を切り替えながら通信する無線通信装置において、
通信に使用する周波数切替パターンを決定する決定手段と；
上記決定手段により決定したパターンに基づいて通信する通信手段と；
第１の周波数切替パターンにより第２の無線通信装置との間で通信している最中に、第３の無線通信装置からの通信要求を検出する検出手段と；
上記検出手段による検出に応じて、上記第２の無線通信装置との通信を中断し、上記第３の無線通信装置との通信を開始するように制御する制御手段と；
を有し、上記第３の無線通信装置との通信は、上記第２の無線通信装置との通信に使用していた上記第１の周波数切替パターンを使って行うことを特徴とする無線通信装置。
【請求項３】
請求項２において、
上記通信要求は、上記第２、第３の無線通信装置と共通して使われる第２の周波数切替パターンにより通信される情報であることを特徴とする無線通信装置。
【請求項４】
請求項２において、
上記制御手段は、検出した通信要求の優先度に応じて上記制御を行うことを特徴とする無線通信装置。
【請求項５】
請求項２において、
上記第３の無線通信装置との通信が終了すると、上記第１の周波数切替パターンを使って上記第２の無線通信装置との通信を再開することを特徴とする無線通信装置。
【請求項６】
請求項５において、
上記第２の無線通信装置との通信を再開するために、通信再開要求を上記第２の無線通信装置に送信することを特徴とする無線通信装置。
【請求項７】
請求項５において、
上記第２の無線通信装置との通信を再開する場合には、上記第２の無線通信装置に通信再開を要求する特別な信号を送信することなく、上記第２の無線通信装置宛てにデータを送信することを特徴とする無線通信装置。
【請求項８】
請求項２において、
上記通信要求は、上記第３の無線通信装置から上記第２の無線通信装置にも送られることを特徴とする無線通信装置。
【請求項９】
周波数を切り替えながら通信する無線通信装置において、
第１の無線通信装置と第１の周波数切替パターンにより通信している最中に、第３の無線通信装置からの第１の無線通信装置との通信要求が検出されると、上記第１の無線通信装置との通信を中断する中断手段と；
上記中断手段により上記第１の無線通信装置との通信が中断されても上記第１の無線通信装置との通信が再開できるように、上記第１の周波数切替パターンに追従して周波数を切り替える切替手段と；
を有することを特徴とする無線通信装置。
【請求項１０】
請求項９において、
上記通信要求は、上記第１、第３の無線通信装置と共通して使われる第２の周波数切替パターンにより通信される情報であることを特徴とする無線通信装置。
【請求項１１】
請求項１０において、
上記中断手段による通信の中断は、上記通信要求の優先度に応じて行われることを特徴とする無線通信装置。
【請求項１２】
請求項９において、
上記第１の無線通信装置からの通信再開要求が検出されると、上記追従していた上記第１の周波数切替パターンを使って上記第１の無線通信装置との通信を再開する再開手段を有することを特徴とする無線通信装置。
【請求項１３】
請求項９において、
上記中断手段により上記第１の無線通信装置との通信を中断しても、上記第１の無線通信装置の通信をモニタするモニタ手段と；
上記モニタ手段によるモニタにより自無線通信装置宛てのデータが検出されると、上記第１の無線通信装置との通信を再開する再開手段と；
を有することを特徴とする無線通信装置。
【請求項１４】
周波数を切り替えながら通信する無線通信装置において、
通信に使用する周波数切替パターンを決定する決定手段と；
上記決定手段により決定したパターンに基づいて通信する通信手段と；
第１の周波数切替パターンにより第１の無線通信装置と第２の無線通信装置とが通信している最中に、上記第１の無線通信装置との通信要求を送信する送信手段と；
上記送信手段により送信した通信要求に基づいて上記第１の無線通信装置と上記第２の無線通信装置との通信が中断されると、上記第１の無線通信装置との通信を開始する開始手段と；
を有し、上記開始手段は、上記第１の無線通信装置と上記第２の無線通信装置との通信に使われていた上記第１の周波数切替パターンを使って上記第１の無線通信装置との通信を開始することを特徴とする無線通信装置。
【請求項１５】
請求項１４において、
上記送信手段は、上記第１、第２の無線通信装置と共通して使われる第２の周波数切替パターンにより上記通信要求を送信することを特徴とする無線通信装置。
【請求項１６】
請求項１４において、
上記送信手段は、上記第１の無線通信装置と上記第２の無線通信装置とに上記通信要求を送信することを特徴とする無線通信装置。
【請求項１７】
無線通信装置において、
通信に使用する通信チャネルを決定する決定手段と；
上記決定手段により決定した通信チャネルに基づいて通信する通信手段と；
第１の通信チャネルにより第２の無線通信装置との間で通信している最中に、第３の無線通信装置からの通信要求を検出する検出手段と；
上記検出手段による検出に応じて、上記第２の無線通信装置との通信を中断し、上記第３の無線通信装置との通信を開始するように制御する制御手段と；
を有し、上記第３の無線通信装置との通信は、新規の通信チャネルを決定することなく、上記第２の無線通信装置との通信に使用していた上記第１の通信チャネルを使って行うことを特徴とする無線通信装置。
【請求項１８】
無線通信装置において、
第１の無線通信装置と通信チャネルにより通信している最中に、第３の無線通信装置からの第１の無線通信装置との通信要求が検出されると、上記第１の無線通信装置との通信を中断する中断手段と；
上記中断手段により上記第１の無線通信装置との通信が中断されても上記第１の無線通信装置との通信が速やかに再開できるように、上記第１の無線通信装置と上記第３の無線通信装置との通信をモニタするモニタ手段と；
を有することを特徴とする無線通信装置。
【請求項１９】
無線通信装置において、
通信に使用する通信チャネルを決定する決定手段と；
上記決定手段により決定した通信チャネルに基づいて通信する通信手段と；
第１の通信チャネルにより第１の無線通信装置と第２の無線通信装置とが通信している最中に、上記第１の無線通信装置との通信要求を送信する送信手段と；
上記送信手段により送信した通信要求に基づいて上記第１の無線通信装置と上記第２の無線通信装置との通信が中断されると、上記第１の無線通信装置との通信を開始する開始手段と；
を有し、上記開始手段は、新規の通信チャネルを決定することなく、上記第１の無線通信装置と上記第２の無線通信装置との通信に使われていた上記第１の通信チャネルを使って上記第１の無線通信装置との通信を開始することを特徴とする無線通信装置。
【請求項２０】
周波数を切り替えながら通信する無線通信装置の制御方法において、
通信に使用する周波数切替パターンを決定し、該決定したパターンに基づいて通信する通信工程と；
上記通信工程において第１の周波数切替パターンにより第２の無線通信装置との間で通信している最中に、第３の無線通信装置からの通信要求を検出すると、上記第２の無線通信装置との通信を中断し、上記第３の無線通信装置との通信を開始する制御工程と；
を有し、上記第３の無線通信装置との通信は、上記第２の無線通信装置との通信に使用していた上記第１の周波数切替パターンを使って行うことを特徴とする無線通信装置の制御方法。
【請求項２１】
周波数を切り替えながら通信する無線通信装置の制御方法において、
第１の無線通信装置と第１の周波数切替パターンにより通信している最中に、第３の無線通信装置からの第１の無線通信装置との通信要求が検出されると、上記第１の無線通信装置との通信を中断する中断工程と；
上記中断工程において上記第１の無線通信装置との通信を中断しても上記第１の無線通信装置との通信が再開できるように、上記第１の周波数切替パターンに追従して周波数を切り替える切替工程と；
を有することを特徴とする無線通信装置の制御方法。
【請求項２２】
周波数を切り替えながら通信する無線通信装置の制御方法において、
通信に使用する周波数切替パターンを決定し、該決定したパターンに基づいて通信する通信工程と；
第１の周波数切替パターンにより第１の無線通信装置と第２の無線通信装置とが通信している最中に、上記第１の無線通信装置との通信要求を送信する送信工程と；
上記送信工程において送信した通信要求に基づいて上記第１の無線通信装置と上記第２の無線通信装置との通信が中断されると、上記第１の無線通信装置と上記第２の無線通信装置との通信に使われていた上記第１の周波数切替パターンを使って上記第１の無線通信装置との通信を開始する開始工程と；
を有することを特徴とする無線通信装置の制御方法。
【手続補正２】
【補正対象書類名】明細書
【補正対象項目名】０００１
【補正方法】変更
【補正の内容】
【０００１】
【発明が属する技術分野】
本発明は、無線通信システム、無線通信装置およびその制御方法に関する。
【手続補正３】
【補正対象書類名】明細書
【補正対象項目名】００１２
【補正方法】変更
【補正の内容】
【００１２】
【課題を解決するための手段】
本発明は、周波数を切り替えながら通信する複数の無線通信装置を有する無線通信システムにおいて、通信に使用する周波数切替パターンを決定する決定手段と、上記決定手段により決定したパターンに基づいて通信する通信手段と、第１の周波数切替パターンにより第１の無線通信装置と第２の無線通信装置との間で通信している最中に、第３の無線通信装置からの上記第１の無線通信装置との通信要求を検出する検出手段と、上記検出手段による検出に応じて、上記第１の無線通信装置と上記第２の無線通信装置との通信を中断し、上記第１の無線通信装置と上記第３の無線通信装置との通信を開始するように制御する制御手段とを有し、上記第１の無線通信装置と上記第３の無線通信装置との通信は、上記第１の無線通信装置と上記第２の無線通信装置との通信に使用していた上記第１の周波数切替パターンを使って行うことを特徴とする無線通信システムを提供する。
【手続補正４】
【補正対象書類名】明細書
【補正対象項目名】００１３
【補正方法】変更
【補正の内容】
【００１３】
また、本発明は、周波数を切り替えながら通信する無線通信装置において、通信に使用する周波数切替パターンを決定する決定手段と、上記決定手段により決定したパターンに基づいて通信する通信手段と、第１の周波数切替パターンにより第２の無線通信装置との間で通信している最中に、第３の無線通信装置からの通信要求を検出する検出手段と、上記検出手段による検出に応じて、上記第２の無線通信装置との通信を中断し、上記第３の無線通信装置との通信を開始するように制御する制御手段とを有し、上記第３の無線通信装置との通信は、上記第２の無線通信装置との通信に使用していた上記第１の周波数切替パターンを使って行うことを特徴とする無線通信装置およびその制御方法を提供する。
また、周波数を切り替えながら通信する無線通信装置において、第１の無線通信装置と第１の周波数切替パターンにより通信している最中に、第３の無線通信装置からの第１の無線通信装置との通信要求が検出されると、上記第１の無線通信装置との通信を中断する中断手段と、上記中断手段により上記第１の無線通信装置との通信が中断されても上記第１の無線通信装置との通信が再開できるように、上記第１の周波数切替パターンに追従して周波数を切り替える切替手段とを有することを特徴とする無線通信装置およびその制御方法を提供する。
また、周波数を切り替えながら通信する無線通信装置において、通信に使用する周波数切替パターンを決定する決定手段と、上記決定手段により決定したパターンに基づいて通信する通信手段と、第１の周波数切替パターンにより第１の無線通信装置と第２の無線通信装置とが通信している最中に、上記第１の無線通信装置との通信要求を送信する送信手段と、上記送信手段により送信した通信要求に基づいて上記第１の無線通信装置と上記第２の無線通信装置との通信が中断されると、上記第１の無線通信装置との通信を開始する開始手段とを有し、上記開始手段は、上記第１の無線通信装置と上記第２の無線通信装置との通信に使われていた上記第１の周波数切替パターンを使って上記第１の無線通信装置との通信を開始することを特徴とする無線通信装置およびその制御方法を提供する。
また、無線通信装置において、通信に使用する通信チャネルを決定する決定手段と、上記決定手段により決定した通信チャネルに基づいて通信する通信手段と、第１の通信チャネルにより第２の無線通信装置との間で通信している最中に、第３の無線通信装置からの通信要求を検出する検出手段と、上記検出手段による検出に応じて、上記第２の無線通信装置との通信を中断し、上記第３の無線通信装置との通信を開始するように制御する制御手段とを有し、上記第３の無線通信装置との通信は、新規の通信チャネルを決定することなく、上記第２の無線通信装置との通信に使用していた上記第１の通信チャネルを使って行うことを特徴とする無線通信装置を提供する。
また、無線通信装置において、第１の無線通信装置と通信チャネルにより通信している最中に、第３の無線通信装置からの第１の無線通信装置との通信要求が検出されると、上記第１の無線通信装置との通信を中断する中断手段と、上記中断手段により上記第１の無線通信装置との通信が中断されても上記第１の無線通信装置との通信が速やかに再開できるように、上記第１の無線通信装置と上記第３の無線通信装置との通信をモニタするモニタ手段とを有することを特徴とする無線通信装置を提供する。
また、無線通信装置において、通信に使用する通信チャネルを決定する決定手段と、上記決定手段により決定した通信チャネルに基づいて通信する通信手段と、第１の通信チャネルにより第１の無線通信装置と第２の無線通信装置とが通信している最中に、上記第１の無線通信装置との通信要求を送信する送信手段と、上記送信手段により送信した通信要求に基づいて上記第１の無線通信装置と上記第２の無線通信装置との通信が中断されると、上記第１の無線通信装置との通信を開始する開始手段とを有し、上記開始手段は、新規の通信チャネルを決定することなく、上記第１の無線通信装置と上記第２の無線通信装置との通信に使われていた上記第１の通信チャネルを使って上記第１の無線通信装置との通信を開始することを特徴とする無線通信装置を提供する。